(57)【要約】【課題】過度の負荷が作用した場合には、コネクタ接続口からコネクタ本体が外れることにより、基板やコネクタ本体の破損を防止し得、又、充電満了時や異常充電発生時、或いはデータ通信完了時には、コネクタ接続口からコネクタ本体を自動的に外すことができ、信頼性向上を図り得る携帯端末機器のコネクタ構造を提供する。【解決手段】コネクタ本体３に電磁石１１を取り付けると共に、コネクタ接続口２に、電磁石１１に吸着される金属片１２を取り付け、携帯端末機器本体から出力される制御信号１３に基づいて電磁石１１への通電・非通電を切り換えるスイッチ回路１４を備える。【選択図】        図２
2005045490.tif 000002
【特許請求の範囲】
【請求項１】
携帯端末機器本体のコネクタ接続口と、該コネクタ接続口に接続されるコネクタ本体とのうちいずれか一方に電磁石を取り付け、いずれか他方に電磁石に吸着される金属片を取り付け、携帯端末機器本体から出力される制御信号に基づいて電磁石への通電・非通電を切り換えるスイッチ回路を備えたことを特徴とする携帯端末機器のコネクタ構造。
【請求項２】
コネクタ本体が充電用である場合に、電磁石を通電状態から非通電状態へ切り換える時、携帯端末機器本体のバッテリーへの電力供給を停止させる機能をスイッチ回路に付加した請求項１記載の携帯端末機器のコネクタ構造。
【請求項３】
電磁石による金属片の吸着力より弱い反発力を有し且つ電磁石が通電状態から非通電状態へ切り換えられた際にコネクタ本体を切り離す方向へ付勢する弾性部材を備えた請求項１又は２記載の携帯端末機器のコネクタ構造。
【発明の詳細な説明】
【０００１】
【発明の属する技術分野】
本発明は、携帯端末機器のコネクタ構造に関するものである。
【０００２】
【従来の技術】
一般に、携帯電話、ＰＨＳ（簡易型携帯電話）等の小型の携帯端末機器においては、携帯端末機器本体にコネクタ接続口が設けられており、該コネクタ接続口に、ＡＣ電源等の電源に対しアダプターを介してつないだ充電用ケーブルのコネクタ本体を接続したり、或いはモバイルパソコンにつないだデータ通信用ケーブルのコネクタ本体を接続することにより、バッテリーへの充電やデータ通信を行うようになっている。
【０００３】
尚、携帯端末機器の充電に関する一般的技術水準を示すものとしては、例えば、特許文献１がある。
【０００４】
【特許文献１】
特開平８−２０５４１３号公報
【０００５】
【発明が解決しようとする課題】
しかしながら、従来の携帯端末機器本体のコネクタ接続口に接続されるコネクタ本体はプラグインタイプとなっているため、その接続部分に誤って大きな力を掛けてしまうと、基板やコネクタ本体が破損してしまう虞があった。
【０００６】
又、充電満了時や異常充電発生時、或いはデータ通信完了時には、前記コネクタ接続口からコネクタ本体を外すのが好ましいが、従来の場合には、コネクタ本体は、人が外さない限りコネクタ接続口に接続されたまま保持されることとなっていた。
【０００７】
本発明は、斯かる実情に鑑み、過度の負荷が作用した場合には、コネクタ接続口からコネクタ本体が外れることにより、基板やコネクタ本体の破損を防止し得、又、充電満了時や異常充電発生時、或いはデータ通信完了時には、コネクタ接続口からコネクタ本体を自動的に外すことができ、信頼性向上を図り得る携帯端末機器のコネクタ構造を提供しようとするものである。
【０００８】
【課題を解決するための手段】
本発明は、携帯端末機器本体のコネクタ接続口と、該コネクタ接続口に接続されるコネクタ本体とのうちいずれか一方に電磁石を取り付け、いずれか他方に電磁石に吸着される金属片を取り付け、携帯端末機器本体から出力される制御信号に基づいて電磁石への通電・非通電を切り換えるスイッチ回路を備えたことを特徴とする携帯端末機器のコネクタ構造にかかるものである。
【０００９】
上記手段によれば、以下のような作用が得られる。
【００１０】
バッテリーへの充電やデータ通信を行う際、携帯端末機器本体のコネクタ接続口にコネクタ本体を接続すると、携帯端末機器本体からコネクタ本体の接続を示す制御信号が出力され、該制御信号に基づいてスイッチ回路により電磁石への通電が行われるため、電磁石による金属片の吸着力が発生し、コネクタ接続口にコネクタ本体が接続された状態に保持されるが、この状態で、コネクタ接続口とコネクタ本体との接続部分に誤って大きな力を掛けてしまった場合には、コネクタ接続口からコネクタ本体が簡単に外れるため、基板やコネクタ本体が破損してしまう心配はない。
【００１１】
又、充電満了時や異常充電発生時、或いはデータ通信完了時には、携帯端末機器本体から対応する制御信号が出力され、該制御信号に基づいてスイッチ回路により電磁石への通電が打ち切られ、該電磁石が通電状態から非通電状態に切り換えられるため、電磁石による金属片の吸着力がなくなり、人が外さなくても、コネクタ接続口からコネクタ本体が自動的に外れる形となる。
【００１２】
前記携帯端末機器のコネクタ構造においては、コネクタ本体が充電用である場合に、電磁石を通電状態から非通電状態へ切り換える時、携帯端末機器本体のバッテリーへの電力供給を停止させる機能をスイッチ回路に付加することができ、このようにすると、充電満了時や異常充電発生時には、スイッチ回路により電磁石への通電が打ち切られると共に、バッテリーへの電力供給が停止されるため、バッテリーに対して必要以上に電力が供給されず、無駄もなくなる。
【００１３】
又、前記携帯端末機器のコネクタ構造においては、電磁石による金属片の吸着力より弱い反発力を有し且つ電磁石が通電状態から非通電状態へ切り換えられた際にコネクタ本体を切り離す方向へ付勢する弾性部材を備えることができ、このようにすると、充電満了時や異常充電発生時、或いはデータ通信完了時に、携帯端末機器本体から対応する制御信号が出力され、該制御信号に基づいてスイッチ回路により電磁石への通電が打ち切られ、該電磁石が通電状態から非通電状態に切り換えられると、弾性部材の反発力によりコネクタ接続口からコネクタ本体が強制的に切り離されるため、携帯端末機器本体を寝かせた状態でバッテリーへの充電やデータ通信を行っていた場合にも、電磁石への通電が打ち切られた後にそのままコネクタ本体がコネクタ接続口から離れずに保持されてしまうようなことが確実に避けられることとなる。
【００１４】
【発明の実施の形態】
以下、本発明の実施の形態を図示例と共に説明する。
【００１５】
図１〜図６は本発明を実施する形態の一例であって、図中、１は携帯端末機器本体、２は携帯端末機器本体１のコネクタ接続口、３はコネクタ接続口２に接続されるコネクタ本体、４ａ，４ｂはコネクタ接続口２とコネクタ本体３に設けられた電源用端子、５ａ，５ｂはコネクタ接続口２とコネクタ本体３に設けられたグラウンド用端子、６ａ，６ｂはコネクタ接続口２とコネクタ本体３に設けられた制御信号用端子、７は携帯端末機器本体１側の電源用端子４ａとグラウンド用端子５ａに接続された電源回路、８は携帯端末機器本体１のバッテリー、９は充電用のアダプタ、１０はＡＣ電源等の電源であり、前記コネクタ本体３に電磁石１１を取り付けると共に、前記コネクタ接続口２に、電磁石１１に吸着される金属片１２を取り付け、携帯端末機器本体１から出力される制御信号１３に基づいて電磁石１１への通電・非通電を切り換えるスイッチ回路１４を備えるようにしたものである。尚、前記コネクタ接続口２に電磁石１１を取り付けると共に、前記コネクタ本体３に金属片１２を取り付けることも可能である。
【００１６】
前記スイッチ回路１４は、コネクタ本体３が充電用である場合に、電磁石１１を通電状態から非通電状態へ切り換える時、携帯端末機器本体１のバッテリー８への電力供給を停止させる機能を有している。
【００１７】
又、前記電源用端子４ｂ、グラウンド用端子５ｂ、制御信号用端子６ｂは、図３に示す如く、中途部を屈曲させた形状とすることにより、端子自体が、前記電磁石１１による金属片１２の吸着力より弱い反発力を有し且つ電磁石１１が通電状態から非通電状態へ切り換えられた際にコネクタ本体３を切り離す方向へ付勢する弾性部材としての機能を備えるようにしてある。ここで、前記電源用端子４ｂ、グラウンド用端子５ｂ、制御信号用端子６ｂは、それ自体を弾性部材とする代りに、例えば、図４に示す如く、凸形状に折り曲げ、その内側にスプリング等の弾性部材１５を設けることにより、電磁石１１への通電による金属片１２の吸着時には、電源用端子４ｂ、グラウンド用端子５ｂ、制御信号用端子６ｂが、弾性部材１５の付勢力に抗してコネクタ本体３の内側に押し込まれ、逆に、電磁石１１が通電状態から非通電状態へ切り換えられた際には、弾性部材１５の反発力によって電源用端子４ｂ、グラウンド用端子５ｂ、制御信号用端子６ｂがコネクタ本体３の外側に押し出されるようにすることもできる。又、前記電源用端子４ｂ、グラウンド用端子５ｂ、制御信号用端子６ｂは、図５に示す如く、コネクタ本体３の表面から斜めに張り出すようにして、その内側にスプリング等の弾性部材１５を設けることにより、電磁石１１への通電による金属片１２の吸着時には、電源用端子４ｂ、グラウンド用端子５ｂ、制御信号用端子６ｂが、弾性部材１５の付勢力に抗してコネクタ本体３の表面に押し付けられ、略平坦となり、逆に、電磁石１１が通電状態から非通電状態へ切り換えられた際には、弾性部材１５の反発力によって電源用端子４ｂ、グラウンド用端子５ｂ、制御信号用端子６ｂがコネクタ本体３の表面から斜めに張り出されるようにすることもできる。尚、図３、図４、図５に示すような端子の構造を、電源用端子４ｂ、グラウンド用端子５ｂ、制御信号用端子６ｂに採用する代りに、コネクタ接続口２の電源用端子４ａ、グラウンド用端子５ａ、制御信号用端子６ａに適用することも可能である。
【００１８】
一方、前記携帯端末機器本体１のバッテリー８への充電時には、図６に示す如く、携帯端末機器本体１のコネクタ接続口２にコネクタ本体３を接続し（ＳＴＥＰ１）、携帯端末機器本体１から出力される制御信号１３をスイッチ回路１４で検出し（ＳＴＥＰ２）、該制御信号１３がコネクタ本体３の接続を示す高信号としてのＨｉ（或いは低信号としてのＬｏ）であるか否かの判断を行い（ＳＴＥＰ３）、Ｈｉ（或いはＬｏ）である場合には、スイッチ回路１４により電磁石１１と電源用端子４ｂへのスイッチをＯＮとし（ＳＴＥＰ４）、電磁石１１による金属片１２の吸着力を発生させると同時にバッテリー８への電力供給を開始し（ＳＴＥＰ５）、コネクタ接続口２にコネクタ本体３が接続された状態に保持し、この後、携帯端末機器本体１から出力される制御信号１３をスイッチ回路１４で検出し（ＳＴＥＰ６）、該制御信号１３が充電満了や異常充電発生を示す低信号としてのＬｏ（或いは高信号としてのＨｉ）であるか否かの判断を行い（ＳＴＥＰ７）、Ｌｏ（或いはＨｉ）である場合には、スイッチ回路１４により電磁石１１と電源用端子４ｂへのスイッチをＯＦＦとし（ＳＴＥＰ８）、電磁石１１による金属片１２の吸着力を消失させると同時にバッテリー８への電力供給を停止し（ＳＴＥＰ９）、弾性部材（電源用端子４ｂ、グラウンド用端子５ｂ、制御信号用端子６ｂといった端子自体、或いは弾性部材１５）の反発力によりコネクタ接続口２からコネクタ本体３を強制的に切り離す（ＳＴＥＰ１０）よう構成してある。
【００１９】
次に、上記図示例の作用を説明する。
【００２０】
携帯端末機器本体１のバッテリー８への充電を行う際、携帯端末機器本体１のコネクタ接続口２にコネクタ本体３を接続すると（図６のＳＴＥＰ１）、携帯端末機器本体１から出力される制御信号１３がスイッチ回路１４で検出され（図６のＳＴＥＰ２）、該制御信号１３がコネクタ本体３の接続を示す高信号としてのＨｉ（或いは低信号としてのＬｏ）であるか否かの判断が行われ（図６のＳＴＥＰ３）、Ｈｉ（或いはＬｏ）である場合には、スイッチ回路１４により電磁石１１と電源用端子４ｂへのスイッチがＯＮとされ（図６のＳＴＥＰ４）、電磁石１１による金属片１２の吸着力が発生すると同時にバッテリー８への電力供給が開始され（図６のＳＴＥＰ５）、コネクタ接続口２にコネクタ本体３が接続された状態に保持されるが、この状態で、コネクタ接続口２とコネクタ本体３との接続部分に誤って大きな力を掛けてしまったような場合には、コネクタ接続口２からコネクタ本体３が簡単に外れるため、基板やコネクタ本体３が破損してしまう心配はない。
【００２１】
前記電磁石１１による金属片１２の吸着力によって、コネクタ接続口２にコネクタ本体３が接続された状態となった後、携帯端末機器本体１から出力される制御信号１３がスイッチ回路１４で検出され（図６のＳＴＥＰ６）、該制御信号１３が充電満了や異常充電発生を示す低信号としてのＬｏ（或いは高信号としてのＨｉ）であるか否かの判断が行われ（図６のＳＴＥＰ７）、Ｌｏ（或いはＨｉ）である場合には、スイッチ回路１４により電磁石１１と電源用端子４ｂへのスイッチがＯＦＦとされ（図６のＳＴＥＰ８）、電磁石１１による金属片１２の吸着力が消失すると同時にバッテリー８への電力供給が停止され（図６のＳＴＥＰ９）、弾性部材（電源用端子４ｂ、グラウンド用端子５ｂ、制御信号用端子６ｂといった端子自体、或いは弾性部材１５）の反発力によりコネクタ接続口２からコネクタ本体３が強制的に切り離される（図６のＳＴＥＰ１０）。
【００２２】
このため、人が外さなくても、コネクタ接続口２からコネクタ本体３が自動的に外れる形となり、更に、携帯端末機器本体１を寝かせた状態でバッテリー８への充電を行っていた場合にも、電磁石１１への通電が打ち切られた後にそのままコネクタ本体３がコネクタ接続口２から離れずに保持されてしまうようなことが確実に避けられることとなる。
【００２３】
又、本図示例においては、コネクタ本体３が充電用である場合に、電磁石１１を通電状態から非通電状態へ切り換える時、携帯端末機器本体１のバッテリー８への電力供給を停止させる機能をスイッチ回路１４に付加してあるため、充電満了時や異常充電発生時には、スイッチ回路１４により電磁石１１への通電が打ち切られると共に、バッテリー８への電力供給が停止される形となり、バッテリー８に対して必要以上に電力が供給されず、無駄もなくなる。
【００２４】
尚、バッテリー８への充電用のコネクタ本体３と同様に、データ通信用のコネクタ本体３に、電磁石１１を設けると共に、スイッチ回路１４を設けることにより、データ通信完了時に、コネクタ接続口２からコネクタ本体３が自動的に外れるようにすることも可能である。
【００２５】
こうして、過度の負荷が作用した場合には、コネクタ接続口２からコネクタ本体３が外れることにより、基板やコネクタ本体３の破損を防止し得、又、充電満了時や異常充電発生時、或いはデータ通信完了時には、コネクタ接続口２からコネクタ本体３を自動的に外すことができ、信頼性向上を図り得る。
【００２６】
尚、本発明の携帯端末機器のコネクタ構造は、上述の図示例にのみ限定されるものではなく、本発明の要旨を逸脱しない範囲内において種々変更を加え得ることは勿論である。
【００２７】
【発明の効果】
以上、説明したように本発明は携帯端末機器本体のコネクタ接続口と、該コネクタ接続口に接続されるコネクタ本体とのうちいずれか一方に電磁石を取り付け、いずれか他方に電磁石に吸着される金属片を取り付け、携帯端末機器本体から出力される制御信号に基づいて電磁石への通電・非通電を切り換えるスイッチ回路を備えたことにより、過度の負荷が作用した場合には、コネクタ接続口からコネクタ本体が外れることにより、基板やコネクタ本体の破損を防止し得、又、充電満了時や異常充電発生時、或いはデータ通信完了時には、コネクタ接続口からコネクタ本体を自動的に外すことができ、信頼性向上を図り得るという優れた効果を奏し得る。
【図面の簡単な説明】
【図１】本発明を実施する形態の一例の斜視図である。
【図２】本発明を実施する形態の一例の概要構成図である。
【図３】本発明を実施する形態の一例におけるコネクタ本体の端子部分の構造を示す断面図であって、図１のＩＩＩ−ＩＩＩ矢視相当図である。
【図４】コネクタ本体の端子部分の構造の変形例を示す断面図であって、図１のＩＩＩ−ＩＩＩ矢視相当図である。
【図５】コネクタ本体の端子部分の構造の他の変形例を示す断面図であって、図１のＩＩＩ−ＩＩＩ矢視相当図である。
【図６】本発明を実施する形態の一例における充電時のコネクタ本体の接続から切り離しまでの過程を示すフローチャートである。
【符号の説明】
１        携帯端末機器本体
２        コネクタ接続口
３        コネクタ本体
４ｂ    電源用端子（弾性部材）
５ｂ    グラウンド用端子（弾性部材）
６ｂ    制御信号用端子（弾性部材）
８        バッテリー
１１        電磁石
１２        金属片
１３        制御信号
１４        スイッチ回路
１５        弾性部材
【図１】
2005045490.tif 000003
【図２】
2005045490.tif 000004
【図３】
2005045490.tif 000005
【図４】
2005045490.tif 000006
【図５】
2005045490.tif 000007
【図６】
2005045490.tif 000008